(57)【要約】【課題】画像表示領域に表示されている表示画像とサムネイル画像との対応をユーザに認識しやすくする。【解決手段】画像表示装置であって、複数のサムネイル画像を、サムネイル表示領域に表示するサムネイル表示部と、サムネイル表示部によりサムネイル表示領域に表示されている複数のサムネイル画像のうちから選択された複数のサムネイル画像に対応する複数の表示画像を、画像表示領域に表示する画像表示部と、画像表示領域に表示されている複数の表示画像のそれぞれの表示位置と、複数の表示画像のそれぞれに対応する複数のサムネイル画像との対応関係を視覚的に示す対応指標を、複数のサムネイル画像とともに表示する指標表示部とを備える。【選択図】図４
2007080074.tif 000002
【特許請求の範囲】
【請求項１】
複数のサムネイル画像を、サムネイル表示領域に表示するサムネイル表示部と、
前記サムネイル表示部により前記サムネイル表示領域に表示されている前記複数のサムネイル画像のうちから選択された複数のサムネイル画像に対応する複数の表示画像を、画像表示領域に表示する画像表示部と、
前記画像表示領域に表示されている前記複数の表示画像のそれぞれの表示位置と、前記複数の表示画像のそれぞれに対応する前記複数のサムネイル画像との対応関係を視覚的に示す対応指標を、前記複数のサムネイル画像とともに表示する指標表示部と
を備える画像表示装置。
【請求項２】
前記指標表示部は、前記対応指標として、前記画像表示領域に表示されている前記表示画像と、この表示画像に対応するサムネイル画像とともに共通の同じ色柄を表示する請求項１に記載の画像表示装置。
【請求項３】
前記指標表示部は、前記対応指標として、前記複数の表示画像の表示位置を表す文字を表示する請求項１に記載の画像表示装置。
【請求項４】
前記指標表示部は、前記画像表示領域に表示されている前記複数の表示画像のうち、アクティブ状態である表示画像の表示位置、および、この表示画像に対応するサムネイル画像とともに、アクティブ状態である旨を示すアクティブ指標を表示する請求項１に記載の画像表示装置。
【請求項５】
複数のサムネイル画像をサムネイル表示領域に表示し、
前記サムネイル表示領域に表示されている前記複数のサムネイル画像のうちから選択された複数のサムネイル画像に対応する複数の表示画像を、画像表示領域に表示し、
前記画像表示領域に表示されている前記複数の表示画像のそれぞれの表示位置と、前記複数の表示画像のそれぞれに対応する前記複数のサムネイル画像との対応関係を視覚的に示す対応指標を、前記複数のサムネイル画像とともに表示する
画像表示方法。
【請求項６】
画像表示装置を制御するプログラムであって、前記画像表示装置に、
複数のサムネイル画像をサムネイル表示領域に表示するサムネイル表示機能、
前記サムネイル表示機能により前記サムネイル表示領域に表示されている前記複数のサムネイル画像のうちから選択された複数のサムネイル画像に対応する複数の表示画像を、画像表示領域に表示する画像表示機能、および、
前記画像表示領域に表示されている前記複数の表示画像のそれぞれの表示位置と、前記複数の表示画像のそれぞれに対応する前記複数のサムネイル画像との対応関係を視覚的に示す対応指標を、前記複数のサムネイル画像とともに表示する指標表示機能
を実現させるプログラム。
【発明の詳細な説明】
【技術分野】
【０００１】
本発明は、画像表示装置、画像表示方法、および、プログラムに関する。特に、本発明は、複数のサムネイル画像を表示する画像表示装置、画像表示方法、および、プログラムに関する。
【背景技術】
【０００２】
ファイル名等によりリスト表示されたうちから選択された１つの画像と、この画像に対応する他の画像とを比較する画像表示方法が知られている（例えば、特許文献１を参照）。この特許文献１に記載の画像表示方法においては、ある画像と、その画像に画像処理を施した他の画像との比較をすることができる。
【特許文献１】特開２００４−３０２６７０
【発明の開示】
【発明が解決しようとする課題】
【０００３】
しかしながら、ファイル名等によって画像を選択するので、選択すべき画像を容易に探すことができない。また、２つの画像を任意に選択して比較することができないという不具合がある。
【課題を解決するための手段】
【０００４】
上記課題を解決するために、本発明の第１の形態においては、画像表示装置であって、複数のサムネイル画像を、サムネイル表示領域に表示するサムネイル表示部と、サムネイル表示部によりサムネイル表示領域に表示されている複数のサムネイル画像のうちから選択された複数のサムネイル画像に対応する複数の表示画像を、画像表示領域に表示する画像表示部と、画像表示領域に表示されている複数の表示画像のそれぞれの表示位置と、複数の表示画像のそれぞれに対応する複数のサムネイル画像との対応関係を視覚的に示す対応指標を、複数のサムネイル画像とともに表示する指標表示部とを備える。これにより、複数のサムネイル画像から複数の表示画像を選択して画像表示領域に表示する場合に、画像表示領域に表示されている表示画像とサムネイル画像との対応をユーザに認識しやすくすることができる。特に、互いに類似した複数のサムネイル画像が多数ある場合に、そのうちのいずれが画像表示領域に表示されているかを、サムネイル画像に付けられた表示指標によって、よりユーザに認識しやすくすることができる。
【０００５】
指標表示部は、対応指標として、画像表示領域に表示されている表示画像と、この表示画像に対応するサムネイル画像とともに共通の同じ色柄を表示してもよい。これにより、表示指標を色または柄にすることにより、画像表示領域に表示されている表示画像とサムネイル画像との対応をユーザに視覚的に認識しやすくすることができる。
【０００６】
指標表示部は、対応指標として、複数の表示画像の表示位置を表す文字を表示してもよい。これにより、画像表示領域に表示されている表示画像とサムネイル画像との対応をユーザに認識させることができる。
【０００７】
指標表示部は、画像表示領域に表示されている複数の表示画像のうち、アクティブ状態である表示画像の表示位置、および、この表示画像に対応するサムネイル画像とともに、アクティブ状態である旨を示すアクティブ指標を表示してもよい。これにより、画像表示領域に表示されているアクティブな表示画像とそのサムネイル画像との対応をユーザに認識しやすくすることができる。
【０００８】
上記課題を解決するために、本発明の第２の形態においては、画像表示方法であって、複数のサムネイル画像をサムネイル表示領域に表示し、サムネイル表示領域に表示されている複数のサムネイル画像のうちから選択された複数のサムネイル画像に対応する複数の表示画像を、画像表示領域に表示し、画像表示領域に表示されている複数の表示画像のそれぞれの表示位置と、複数の表示画像のそれぞれに対応する複数のサムネイル画像との対応関係を視覚的に示す対応指標を複数のサムネイル画像とともに表示する。これにより、請求項１と同様の効果を得ることができる。
【０００９】
上記課題を解決するために、本発明の第３の形態においては、画像表示装置を制御するプログラムであって、画像表示装置に、複数のサムネイル画像をサムネイル表示領域に表示するサムネイル表示機能、サムネイル表示機能によりサムネイル表示領域に表示されている複数のサムネイル画像のうちから選択された複数のサムネイル画像に対応する複数の表示画像を、画像表示領域に表示する画像表示機能、および、画像表示領域に表示されている複数の表示画像のそれぞれの表示位置と、複数の表示画像のそれぞれに対応する複数のサムネイル画像との対応関係を視覚的に示す対応指標を、複数のサムネイル画像とともに表示する指標表示機能を実現させる。これにより、請求項１と同様の効果を得ることができる。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例】
【００１２】
図１は、画像表示装置１０の一例を示す。画像表示装置１０は、画像表示装置１０を制御するプログラムを実行する本体１２を備える。画像表示装置１０は、表示画面を有しユーザに対して本体１２からの出力に基づいて表示画面上に表示をするディスプレイ１４と、本体１２からの出力に基づく印刷をするプリンタ２４と、ユーザから本体１２に対する入力手段の一例としてのキーボード１６、および、マウス１８とを備える。デジタルカメラ２０、および、スキャナ２２は、画像情報を読み込む手段の一例として、本体１２と接続される。
【００１３】
本体１２は、サムネイル画像をディスプレイ１４の表示画面に一覧表示するブラウズ処理を施す機能を備える。本体１２は、さらに、画像を割り付けてレイアウト情報を生成するレイアウト処理、または、レイアウト情報に基づいて印刷情報を生成しプリンタ２４に出力するプリント処理を施す機能を備えてもよい。また、本体１２は、ブラウズ処理として、レタッチ処理等の画像処理を施す機能を備える。
【００１４】
図２は、ディスプレイ１４の表示画面上に表示されるメインウィンドウ５０の一例を模式的に示す。本体１２は、画像表示装置１０を制御するプログラムが起動された場合、メインウィンドウ５０をディスプレイ１４の表示画面に表示する。メインウィンドウ５０は、ブラウズ処理に関するブラウズ処理領域５２、レイアウト処理に関するレイアウト処理領域５４、および、プリント処理に関するプリント処理領域５６を有する。ブラウズ処理領域５２は、レタッチ処理を施す旨のユーザからの指示を受け付ける、ボタン「レタッチ」を有する。
【００１５】
図３は、レタッチ処理ウィンドウ６０の一例を模式的に示す。本体１２は、ボタン「レタッチ」を介して、レタッチ処理を施す旨のユーザからの指示を受け付けた場合、レタッチ処理ウィンドウ６０をディスプレイ１４の表示画面に表示する。
【００１６】
レタッチ処理ウィンドウ６０は、サムネイル画像を表示するサムネイル表示領域７０、サムネイル画像のうちから選択された２つのサムネイル画像に対応する表示画像を表示する、左右２つの画像表示領域８０を有する。図３において、サムネイル画像は、サムネイル表示領域７０に並べて表示されているが、一部、または、全部が重ねて表示されてもよい。同様に、表示画像は、画像表示領域８０に並べて表示されているが、一部、または、全部が重ねて表示されてもよい。
【００１７】
サムネイル表示領域７０は、画像表示領域８０に表示されている２つの表示画像のそれぞれの表示位置と、２つの表示画像のそれぞれに対応する２つのサムネイル画像との対応関係を視覚的に示す対応指標を表示する対応指標領域７２を有する。また、サムネイル表示領域７０は、画像表示領域８０に表示されている２つの表示画像のうち、アクティブ状態である表示画像に対応するサムネイル画像に、アクティブ状態である旨を示すアクティブ指標を表示するアクティブ指標領域７４を有する。
【００１８】
サムネイル表示領域７０は、表示するサムネイル画像の１つに対して、１つの対応指標領域７２、および、１つのアクティブ指標領域７４を有する。例えば、図３に示すサムネイル表示領域７０は、サムネイル画像を表示する領域の近傍（例えば、上部）に、対応指標領域７２、および、アクティブ指標領域７４を有する。
【００１９】
同様に、画像表示領域８０は、画像表示領域８０に表示されている２つの表示画像のそれぞれの表示位置と、２つの表示画像のそれぞれに対応する２つのサムネイル画像との対応関係を視覚的に示す対応指標を表示する対応指標領域８２を有する。画像表示領域８０は、画像表示領域８０に表示されている２つの表示画像のうち、アクティブ状態である表示画像に、アクティブ状態である旨を示すアクティブ指標を表示するアクティブ指標領域８４を有する。
【００２０】
図３に示す形態において、サムネイル表示領域７０に表示されているサムネイル画像、および、画像表示領域８０に表示されている表示画像には、対応指標として同一の柄が表示される。例えば、画像表示領域８０の左側に位置している表示画像における対応指標領域８２には右上方向の斜線の柄が表示されており、サムネイル表示領域７０における当該表示画像に対応するサムネイル画像の対応指標領域８２にも右上方向の斜線の柄が表示されている。
【００２１】
上記形態において、画像表示領域８０における異なる位置に表示されている表示画像には、対応指標として互いに異なる柄が表示される。例えば、画像表示領域８０の左側の表示画像における対応指標領域８２には右上方向の斜線の柄が表示されているのに対し、画像表示領域８０の右側の表示画像における対応指標領域８２には右下方向の斜線の柄が表示されている。これに対応して、サムネイル表示領域７０における当該二つの表示画像に対応する二つのサムネイル画像の対応指標領域７２にも、互いに異なる柄である、右上方向の斜線の柄、および、右下方向の斜線の柄がそれぞれ表示されている。
【００２２】
また、図３に示す形態において、サムネイル表示領域７０のアクティブ指標領域７４、および、画像表示領域８０のアクティブ指標領域８４には、上記対応指標とは異なる柄である縦線の柄が表示されている。
【００２３】
なお、サムネイル画像を表示する領域の近傍および表示画像を表示する領域の近傍に、対応指標領域７２およびアクティブ指標領域７４を設けることにかえて、サムネイル画像内および表示画像内に、対応指標およびアクティブ指標を表示してもよい。この場合に、格納部１６０は、対応指標を示す対応指標画像、および、アクティブ指標を示すアクティブ指標画像を予め格納する。サムネイル画像内および表示画像内に対応指標およびアクティブ指標を表示するときは、対応指標画像およびアクティブ指標画像を格納部１６０から読み出し、サムネイル画像および表示画像に対応指標画像およびアクティブ指標画像を重畳して表示してもよい。
【００２４】
また、レタッチ処理ウィンドウ６０は、サムネイル画像のうちから選択された３つ以上のサムネイル画像に対応する表示画像を表示する、３つ以上の画像表示領域８０を有してもよい。また、レタッチ処理ウィンドウ６０は、左右にかえて、上下、または、上下左右に表示する画像表示領域８０を有してもよい。
【００２５】
さらに、図３に示す形態において、対応指標およびアクティブ指標は複数の線を用いた柄である。しかしながら、対応指標およびアクティブ指標はこれに限られず、他の柄であってもよいし、柄に替えてまたは柄に加えて、色を用いてもよい。
【００２６】
さらに、サムネイル画像の対応指標は、柄または色に替えてまたは加えて、複数の表示画像の表示位置を表す文字を表示してもよい。具体的には、レタッチ処理ウィンドウ６０がサ二つの表示画像を表示している場合には、例えば、左側の表示画像に対応するサムネイル画像の対応指標領域７２に、「左」「Ｌ（Left）」を表示してもよい。これらの文字によっても、表示画像とサムネイル画像との対応をユーザに認識させることができる。
【００２７】
図４は、本体１２のブロック図の一例を示す。本体１２は、複数のサムネイル画像を、サムネイル表示領域７０に表示するサムネイル表示部１００と、サムネイル表示部１００によりサムネイル表示領域７０に表示されている複数のサムネイル画像のうちから選択された複数のサムネイル画像に対応する複数の表示画像を、画像表示領域８０に表示する画像表示部１１０と、画像表示領域８０に表示されている複数の表示画像のそれぞれの表示位置と、複数の表示画像のそれぞれに対応する複数のサムネイル画像との対応関係を視覚的に示す対応指標を、その複数のサムネイル画像とともに表示する指標表示部１２０とを備える。これにより、複数のサムネイル画像から複数の表示画像を選択して画像表示領域８０に表示する場合に、画像表示領域８０に表示されている表示画像とサムネイル画像との対応をユーザに認識しやすくすることができる。特に、互いに類似した複数のサムネイル画像が多数ある場合に、そのうちのいずれが画像表示領域８０に表示されているかを、サムネイル画像に付けられた表示指標によって、よりユーザに認識しやすくすることができる。
【００２８】
指標表示部１２０は、対応指標として、画像表示領域８０に表示されている表示画像と、この表示画像に対応するサムネイル画像とともに共通の同じ色柄を表示してもよい。これにより、表示指標を色または柄にすることにより、画像表示領域８０に表示されている表示画像とサムネイル画像との対応をユーザに視覚的に認識しやすくすることができる。
【００２９】
指標表示部１２０は、画像表示領域８０に表示されている複数の表示画像のうち、アクティブ状態である表示画像、および、この表示画像に対応するサムネイル画像に、アクティブ状態である旨を示すアクティブ指標を表示してもよい。これにより、画像表示領域８０に表示されているアクティブな表示画像とそのサムネイル画像との対応をユーザに認識しやすくすることができる。
【００３０】
本体１２は、さらに、ブラウズ処理を施すブラウズ処理部１５０、および、サムネイル画像、および、表示画像を格納する格納部１６０を備える。
【００３１】
ブラウズ処理部１５０は、例えば、ブラウズ処理領域５２にサムネイル画像を一覧表示する。また、ブラウズ処理部１５０は、ボタン「レタッチ」がクリックされた旨、および、ボタン「レタッチ」がクリックされたときに選択されていたサムネイル画像を識別する識別番号を受け付ける。
【００３２】
ブラウズ処理部１５０は、ボタン「レタッチ」がクリックされた旨、および、ボタン「レタッチ」がクリックされたときに選択されていたサムネイル画像を識別する識別番号を受け付けた場合には、ブラウズ処理部１５０は、レタッチ処理ウィンドウ６０をディスプレイ１４の表示画面に表示する。また、この場合には、ブラウズ処理部１５０は、サムネイル表示部１００、および、画像格納部１６０に、ボタン「レタッチ」がクリックされた旨、および、その識別番号を通知する。さらに、ブラウズ処理部１５０は、画像表示部１１０により画像表示領域８０に表示された表示画像に対してレタッチ処理を施す。また、ブラウズ処理部１５０は、レタッチ処理を終了させる旨のユーザの指示を、レタッチ処理ウィンドウ６０の非図示のボタン「終了」を介して受け付ける。
【００３３】
格納部１６０は、デジタルカメラ２０又はスキャナ２２から読み込まれた画像情報を格納する。さらに格納部１６０は、上記画像情報に基づくサムネイル画像および表示画像を格納する。格納部１６０は、サムネイル画像および表示画像に加えて、レタッチ処理ウィンドウ６０における表示の状態に関する情報を格納する。格納部１６０の一例は、ハードディスクまたはメモリである。格納部１６０に格納された情報は、図５において、さらに詳しく説明する。さらに、格納部１６０は、サムネイル表示部１００、画像表示部１１０、ブラウズ処理部１５０等の指示に基づいて、レタッチ処理ウィンドウ６０における表示の状態に関する情報を格納する。例えば、格納部１６０は、ブラウズ処理部１５０から、ボタン「レタッチ」がクリックされた旨、および、その識別番号の通知を受け付けた場合には、レタッチ処理ウィンドウ６０における表示の状態に関する情報を更新する。
【００３４】
なお、サムネイル表示部１００は、ブラウズ処理部１５０からのこの通知を受け付けた場合には、レタッチ処理ウィンドウ６０における表示の状態に関する情報を参照して、サムネイル画像をサムネイル表示領域７０に表示する。
【００３５】
本体１２は、さらに、非図示のレイアウト処理部、および、プリント処理部を備える。レイアウト処理部は、レイアウト処理領域５４において、キーボード１６、および、マウス１８を介してユーザからの指示を受け付けてレイアウト処理を施す。プリント処理部は、プリント処理領域５６において、キーボード１６、および、マウス１８を介してユーザからの指示を受け付けてプリント処理を施す。
【００３６】
記憶媒体４０は、サムネイル表示部１００、画像表示部１１０、および、指標表示部１２０の動作を行わせるプログラムを格納する。本体１２は記憶媒体４０に格納された上記プログラムをインストールすることにより、サムネイル表示部１００等の動作を行わせてもよい。さらに、他の方法として、本体１２は、そのようなプログラムを、通信回線を介して取得してもよい。
【００３７】
図５は、格納部１６０に格納された情報の一例を示す。格納部１６０は、画像を識別する画像ＩＤに対応づけて、サムネイル画像、表示画像を格納する。格納部１６０は、また、レタッチ処理ウィンドウ６０における表示の状態に関する情報として、サムネイル画像位置、表示画像位置、および、アクティブ状態を格納する。
【００３８】
画像ＩＤは、例えば画像のファイル名であってもよい。サムネイル画像位置は、サムネイル表示領域７０において、そのサムネイル画像が表示されている位置を示す。例えば、サムネイル画像位置は、サムネイル表示領域７０の左から何番目の位置に、そのサムネイル画像が表示されているかを示してもよい。表示画像位置は、画像表示領域８０において、その表示画像が表示されている位置を示す。例えば、表示画像位置は、左右どちらの画像表示領域８０に、その表示画像が表示されているかを示してもよい。アクティブ状態は、表示画像がアクティブであるか否かを示す。
【００３９】
図５に示す例によれば、画像ＩＤ「Ｇ００１」で識別される画像は、サムネイル表示領域７０にサムネイル画像が表示されていない。画像ＩＤ「Ｇ００４」で識別される画像は、サムネイル表示領域７０の左から１番目にサムネイル画像が表示されている。また、画像ＩＤ「Ｇ００４」で識別される画像は、画像表示領域８０に表示画像が表示されていない。画像ＩＤ「Ｇ００５」で識別される画像は、サムネイル表示領域７０の左から２番目にサムネイル画像が表示されている。また、画像ＩＤ「Ｇ００５」で識別される画像は、右側の画像表示領域８０に表示画像がアクティブ（１）の状態で表示されている。画像ＩＤ「Ｇ００６」で識別される画像は、サムネイル表示領域７０の左から３番目にサムネイル画像が表示されている。また、画像ＩＤ「Ｇ００６」で識別される画像は、左側の画像表示領域８０に表示画像が非アクティブ（０）の状態で表示されている。
【００４０】
なお、サムネイル画像位置は、例えば、ブラウズ処理部１５０によって更新される。表示画像位置は、例えば、サムネイル表示部１００によって更新される。アクティブ状態は、例えば、サムネイル表示部１００、または、画像表示部１１０によって更新される。
【００４１】
また、サムネイル画像位置は、例えば、サムネイル表示部１００によって参照される。表示画像位置は、例えば、画像表示部１１０によって参照される。アクティブ状態は、例えば、指標表示部１２０によって参照される。
【００４２】
図６は、画像表示装置１０の動作の一例をフローチャートで示す。本フローチャートは、サムネイル表示部１００が複数のサムネイル画像を、サムネイル表示領域７０に表示したことにより開始される。
【００４３】
具体的には、本フローチャートは、画像ＩＤ「Ｇ００４」で識別されるサムネイル画像（図６において、「サムネイル画像「Ｇ００４」」という。以下、同じ。）、サムネイル画像「Ｇ００５」、サムネイル画像「Ｇ００６」、および、サムネイル画像「Ｇ００７」が、サムネイル表示領域７０に表示されたことにより開始される。
【００４４】
すなわち、本フローチャートの開始時において、格納部１６０は、ブラウズ処理部１５０からの通知に基づいて、サムネイル画像「Ｇ００４」に対応づけてサムネイル画像位置「１」、サムネイル画像「Ｇ００５」に対応づけてサムネイル画像位置「２」、サムネイル画像「Ｇ００６」に対応づけてサムネイル画像位置「３」、サムネイル画像「Ｇ００７」に対応づけてサムネイル画像位置「４」を格納している。
【００４５】
なお、本フローチャートの開始時において、画像表示領域８０に表示画像は表示されていないとする。すなわち、本フローチャートの開始時において、格納部１６０は、表示画像位置、および、アクティブ状態については何も格納していない（例えば、Null）。
【００４６】
画像表示部１１０は、２つの表示画像を画像表示領域８０に表示しているか否か判断する（Ｓ１００）。画像表示部１１０は、格納部１６０の表示画像位置を参照し、２つの画像ＩＤについて、「左（２）」、または、「右（１）」が格納されている場合には、２つの表示画像を画像表示領域８０に表示していると判断する。
【００４７】
ステップＳ１００において、画像表示部１１０は、２つの表示画像を画像表示領域８０に表示していないと判断した場合（Ｓ１００：Ｎｏ）、サムネイル表示部１００は、サムネイル表示領域７０に表示しているサムネイル画像から画像表示領域８０に表示するサムネイル画像の選択を受け付けたか否か判断する（Ｓ１０２）。サムネイル表示部１００は、サムネイル表示領域７０に表示されているサムネイル画像「Ｇ００４」「Ｇ００５」「Ｇ００６」「Ｇ００７」の一つがユーザにより選択された旨の情報を、キーボード１６、または、マウス１８を介して受け付けた場合に、サムネイル表示部１００は、サムネイル表示領域７０に表示しているサムネイル画像から画像表示領域８０に表示するサムネイル画像の選択を受け付けたと判断する。
【００４８】
ステップＳ１０２において、サムネイル表示部１００は、サムネイル表示領域７０に表示しているサムネイル画像から画像表示領域８０に表示するサムネイル画像の選択を受け付けたと判断した場合（Ｓ１０２：Ｙｅｓ）、画像表示部１１０は、ステップＳ１０２において選択されたサムネイル画像に対応する表示画像を画像表示領域８０に表示する（Ｓ１０４）。例えば、ステップＳ１０２において、サムネイル表示部１００は、サムネイル画像「Ｇ００６」の選択を受け付けたと判断した場合には、画像表示部１１０は、サムネイル画像「Ｇ００６」に対応する表示画像（図６において、「表示画像「Ｇ００６」」という。以下、同じ。）を左側の画像表示領域８０に表示する。
【００４９】
より詳しくは、例えば、ステップＳ１０２において、サムネイル表示部１００は、サムネイル画像「Ｇ００６」の選択を受け付けたと判断した場合には、サムネイル表示部１００は、格納部１６０にその旨を通知する。通知を受けた格納部１６０は、サムネイル画像「Ｇ００６」に対応づけて表示画像位置「左（１）」を格納する。その後、サムネイル表示部１００は、画像表示部１１０にもその旨を通知する。通知を受けた画像表示部１１０は、画像格納部１６０の表示画像「Ｇ００６」に対応づけて格納された表示画像位置「左（１）」を参照することにより、表示画像「Ｇ００６」を左側の画像表示領域８０に表示する。なお、画像表示領域８０に表示画像を１つ表示する場合に、格納部１６０は、サムネイル画像「Ｇ００６」に対応づけて表示画像位置「右（２）」を格納してもよい。このときは、画像表示部１１０は、表示画像「Ｇ００６」を右側の画像表示領域８０に表示する。
【００５０】
指標表示部１２０は、ステップＳ１０２において選択されたサムネイル画像、および、ステップＳ１０４において表示された表示画像に対応指標を表示する（Ｓ１０６）。例えば、ステップＳ１０２において、サムネイル表示部１００は、サムネイル画像「Ｇ００６」の選択を受け付けたと判断した場合には、指標表示部１２０は、サムネイル画像「Ｇ００６」、および、表示画像「Ｇ００６」に対応指標を表示する。
【００５１】
具体的には、指標表示部１２０は、サムネイル画像「Ｇ００６」の上部の対応指標領域７２、および、表示画像「Ｇ００６」の上部の対応指標領域８２に、同じ色柄の対応指標を表示する。
【００５２】
指標表示部１２０は、ステップＳ１０２において選択されたサムネイル画像、および、ステップＳ１０４において表示された表示画像にアクティブ指標を表示する（Ｓ１０８）。例えば、ステップＳ１０２において、サムネイル表示部１００は、サムネイル画像「Ｇ００６」の選択を受け付けたと判断した場合には、指標表示部１２０は、サムネイル画像「Ｇ００６」、および、表示画像「Ｇ００６」にアクティブ指標を表示する。
【００５３】
より詳しくは、例えば、ステップＳ１０２において、サムネイル表示部１００は、サムネイル画像「Ｇ００６」の選択を受け付けたと判断した場合には、サムネイル表示部１００は、格納部１６０にその旨を通知する。通知を受けた格納部１６０は、サムネイル画像「Ｇ００６」に対応づけてアクティブ状態「アクティブ（１）」を格納する。その後、サムネイル表示部１００は、画像表示部１１０を介して、指標表示部１２０にもその旨を通知する。通知を受けた指標表示部１２０は、画像格納部１６０の表示（サムネイル）画像「Ｇ００６」に対応づけて格納されたアクティブ状態「アクティブ（１）」を参照することにより、サムネイル画像「Ｇ００６」、および、表示画像「Ｇ００６」にアクティブ指標を表示する。
【００５４】
具体的には、指標表示部１２０は、サムネイル画像「Ｇ００６」の上部のアクティブ指標領域７４、および、表示画像「Ｇ００６」の上部のアクティブ指標領域８４に、ステップＳ１０６において用いた色柄と異なる色柄のアクティブ指標を表示する。
【００５５】
ステップＳ１０８を実行した後、ステップＳ１００に戻る。すなわち、画像表示部１１０は、２つの表示画像を画像表示領域８０に表示していると判断する（Ｓ１００：Ｙｅｓ）まで、ステップＳ１０２からステップＳ１０８は繰り返し実行される。
【００５６】
だだし、画像表示部１１０は、１つの表示画像を画像表示領域８０に表示していると判断した場合（Ｓ１００：Ｎｏ）、画像表示部１１０は、新たに選択されたサムネイル画像に対応する表示画像を、空いている画像表示領域８０に表示する（Ｓ１０４）。例えば、ステップＳ１０２において、サムネイル表示部１００は、サムネイル画像「Ｇ００５」の選択を受け付けたと判断した場合には、画像表示部１１０は、サムネイル画像「Ｇ００５」に対応する表示画像「Ｇ００５」を右側の画像表示領域８０に表示する。
【００５７】
より詳しくは、ステップＳ１０２において、サムネイル表示部１００は、サムネイル画像「Ｇ００５」の選択を受け付けたと判断した場合には、サムネイル表示部１００は、格納部１６０にその旨を通知する。通知を受けた格納部１６０は、まず、表示画像「Ｇ００６」に対応づけて表示画像位置「左（１）」を既に格納していることを認識する。そして格納部１６０は、サムネイル画像「Ｇ００５」に対応づけて表示画像位置「右（２）」を格納する。なお、サムネイル表示部１００は、格納部１６０にかえて、格納部１６０の表示画像「Ｇ００６」に対応づけて表示画像位置「左（１）」が格納されていることを認識してもよい。
【００５８】
また、指標表示部１２０は、ステップＳ１０２において新たに選択されたサムネイル画像、および、ステップＳ１０４において新たに表示された表示画像にも対応指標を表示する（Ｓ１０６）。例えば、ステップＳ１０２において、サムネイル表示部１００は、サムネイル画像「Ｇ００５」の選択を受け付けたと判断した場合には、指標表示部１２０は、サムネイル画像「Ｇ００５」、および、表示画像「Ｇ００５」に対応指標を表示する。
【００５９】
具体的には、指標表示部１２０は、サムネイル画像「Ｇ００６」の上部の対応指標領域７２、および、表示画像「Ｇ００６」の上部の対応指標領域８２と異なる色柄の対応指標を、サムネイル画像「Ｇ００５」の上部の対応指標領域７２、および、表示画像「Ｇ００５」の上部の対応指標領域８２に表示する。
【００６０】
さらに、指標表示部１２０は、ステップＳ１０２において新たに選択されたサムネイル画像、および、ステップＳ１０４において新たに表示された表示画像にアクティブ指標を表示する（Ｓ１０８）。この場合には、先に選択されたサムネイル画像、および、先に表示された表示画像にアクティブ指標を表示しない。
【００６１】
より詳しくは、例えば、ステップＳ１０２において、サムネイル表示部１００は、サムネイル画像「Ｇ００６」の選択を受け付けたと判断した場合には、サムネイル表示部１００は、格納部１６０にその旨を通知する。通知を受けた格納部１６０は、先に表示されている表示画像「Ｇ００６」に対応づけてアクティブ状態「アクティブ（０）」を、新たに表示する表示画像「Ｇ００５」に対応づけてアクティブ状態「アクティブ（１）」を格納する。
【００６２】
ここで、図３は、サムネイル表示部１００が、サムネイル画像「Ｇ００６」、「Ｇ００５」をこの順序で受け付けた場合のレタッチ処理ウィンドウ６０を示す。ここで、サムネイル画像「Ｇ００６」の上部の対応指標領域７２は、表示画像「Ｇ００６」の上部の対応指標領域８２と同じ色柄の対応指標を表示する。サムネイル画像「Ｇ００５」の上部の対応指標領域７２は、表示画像「Ｇ００５」の上部の対応指標領域８２と同じ色柄の対応指標を表示する。また、サムネイル画像「Ｇ００５」の上部のアクティブ指標領域７４、および、表示画像「Ｇ００５」の上部のアクティブ指標領域８４に、その対応指標と異なる色柄のアクティブ指標を表示している。これにより、表示指標を色または柄にすることにより、画像表示領域８０に表示されている表示画像とサムネイル画像との対応をユーザに視覚的に認識しやすくすることができる。また、画像表示領域８０に表示されているアクティブな表示画像とそのサムネイル画像との対応をユーザに認識しやすくすることができる。
【００６３】
一方、ステップＳ１００において、画像表示部１１０は、２つの表示画像を画像表示領域８０に表示していると判断した場合（Ｓ１００：Ｙｅｓ）、画像表示部１１０は、画像表示領域８０に表示している表示画像から、アクティブにする表示画像の選択を受け付けたか否か判断する（Ｓ１１０）。画像表示部１１０は、例えば、画像表示領域８０に表示されている表示画像「Ｇ００５」「Ｇ００６」の一つがユーザにより選択された旨の情報を、キーボード１６、または、マウス１８を介して受け付けた場合に、画像表示部１１０は、画像表示領域８０に表示している表示画像から、アクティブにする表示画像の選択を受け付けたと判断する。
【００６４】
ステップＳ１１０において、画像表示部１１０は、画像表示領域８０に表示している表示画像から、アクティブにする表示画像の選択を受け付けたと判断した場合（Ｓ１１０：Ｙｅｓ）、ステップＳ１０８に戻る。
【００６５】
ただし、ステップＳ１１０からステップＳ１０８に戻った場合には、指標表示部１２０は、ステップＳ１１０において選択された表示画像、および、その表示画像に対応するサムネイル画像にアクティブ指標を表示する（Ｓ１０８）。
【００６６】
例えば、ステップＳ１１０において、画像表示部１１０は、表示画像「Ｇ００６」の選択を受け付けたと判断した場合には、指標表示部１２０は、表示画像「Ｇ００５」のアクティブ指標を表示から非表示に切り替える。また、指標表示部１２０は、表示画像「Ｇ００６」のアクティブ指標を非表示から表示に切り替える。
【００６７】
ステップＳ１１０において、画像表示部１１０は、画像表示領域８０に表示している表示画像からアクティブにする表示画像の選択を受け付けていないと判断した場合（Ｓ１１０：Ｎｏ）、サムネイル表示部１００は、サムネイル表示領域７０に表示しているサムネイル画像から、画像表示領域８０に表示する表示画像の再選択を受け付けたか否か判断する（Ｓ１１２）。
【００６８】
ステップＳ１１２において、サムネイル表示部１００は、サムネイル表示領域７０に表示しているサムネイル画像から、画像表示領域８０に表示するサムネイル画像の再選択を受け付けたと判断した場合（Ｓ１１２：Ｙｅｓ）、ステップＳ１０４に戻る。
【００６９】
ただし、ステップＳ１１２からステップＳ１０４に戻った場合には、画像表示部１１０は、再選択を受け付けたときに、画像表示領域８０に表示されている表示画像のうち、非アクティブな表示画像にかえて、ステップＳ１１２において再選択された表示画像を画像表示領域８０に表示する。
【００７０】
具体的には、左側の画像表示領域８０に表示画像「Ｇ００６」が非アクティブ、右側の画像表示領域８０に表示画像「Ｇ００６」がアクティブで表示されている場合に、ステップＳ１１２において、サムネイル表示部１００は、サムネイル表示領域７０に表示しているサムネイル画像「Ｇ００４」の再選択を受け付けたと判断したときは、画像表示部１１０は、左側の画像表示領域８０に、表示画像「Ｇ００６」にかえて、表示画像「Ｇ００４」を非アクティブで表示する。
【００７１】
そして、ステップＳ１０６において、指標表示部１２０は、サムネイル画像「Ｇ００４」の上部の対応指標領域７２、および、表示画像「Ｇ００４」の上部の対応指標領域８２に同じ色柄の対応指標を表示する。
【００７２】
さらに、ステップＳ１０８において、指標表示部１２０は、サムネイル画像「Ｇ００５」、および、表示画像「Ｇ００５」のアクティブ指標を表示から非表示に切り替える。また、指標表示部１２０は、サムネイル画像「Ｇ００４」、および、表示画像「Ｇ００４」のアクティブ指標を非表示から表示に切り替える。
【００７３】
ステップＳ１１２において、サムネイル表示部１００は、サムネイル表示領域７０に表示しているサムネイル画像から画像表示領域８０に表示するサムネイル画像の再選択を受け付けていないと判断した場合（Ｓ１１２：Ｎｏ）、ブラウズ処理部１５０は、レタッチ処理の終了を受け付けたか否か判断する（Ｓ１１４）。また、ステップＳ１０２において、サムネイル表示部１００は、サムネイル表示領域７０に表示しているサムネイル画像から画像表示領域８０に表示するサムネイル画像の選択を受け付けていないと判断した場合も（Ｓ１０２：Ｎｏ）、ブラウズ処理部１５０は、レタッチ処理の終了を受け付けたか否か判断する（Ｓ１１４）。
【００７４】
ブラウズ処理部１５０は、レタッチ処理ウィンドウ６０の非図示のボタン「終了」が選択された旨の情報を、キーボード１６、または、マウス１８を介して受け付けた場合に、ブラウズ処理部１５０は、レタッチ処理の終了を受け付けたと判断する。
【００７５】
ステップＳ１１４において、ブラウズ処理部１５０は、レタッチ処理の終了を受け付けたと判断した場合（Ｓ１１４：Ｙｅｓ）、本フローチャートは終了する。
【００７６】
ステップＳ１１４において、ブラウズ処理部１５０は、レタッチ処理の終了を受け付けていない判断した場合（Ｓ１１４：Ｎｏ）、ステップＳ１００に戻る。
【００７７】
本実施例によれば、複数のサムネイル画像から複数の表示画像を選択して画像表示領域８０に表示する場合に、画像表示領域８０に表示されている表示画像とサムネイル画像との対応をユーザに認識しやすくすることができる。特に、互いに類似した複数のサムネイル画像が多数ある場合に、そのうちのいずれが画像表示領域８０に表示されているかを、サムネイル画像に付けられた表示指標によって、よりユーザに認識しやすくすることができる。すなわち、デジタルカメラ２０等を用いた連続撮影の普及によって、同じような画像が何枚も存在する場合があるが、このような場合に特に効果がある。
【００７８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７９】
【図１】画像表示装置１０の一例を示す。
【図２】メインウィンドウ５０の一例を模式的に示す。
【図３】レタッチ処理ウィンドウ６０の一例を模式的に示す。
【図４】本体１２のブロック図の一例を示す。
【図５】格納部１６０に格納された情報の一例を示す。
【図６】画像表示装置１０の動作の一例をフローチャートで示す。
【符号の説明】
【００８０】
１０  画像表示装置、１２  本体、１４  ディスプレイ、１６  キーボード、１８  マウス、２０  デジタルカメラ、２２  スキャナ、２４  プリンタ、４０  記憶媒体、５０  メインウィンドウ、５２  ブラウズ処理領域、５４  レイアウト処理領域、５６  プリント処理領域、６０  レタッチ処理ウィンドウ、７０  サムネイル表示領域、７２  対応指標領域、７４  アクティブ指標領域、８０  画像表示領域、８２  対応指標領域、８４  アクティブ指標領域、１００  サムネイル表示部、１１０  画像表示部、１２０  指標表示部、１５０  ブラウズ処理部、１６０  格納部
【図１】
2007080074.tif 000003
【図２】
2007080074.tif 000004
【図３】
2007080074.tif 000005
【図４】
2007080074.tif 000006
【図５】
2007080074.tif 000007
【図６】
2007080074.tif 000008